(57)【特許請求の範囲】
【請求項１】
容器本体１と、この容器本体１の上面を蓋する蓋体２と、上記容器本体１の後端部に穿設された第１のヒンジ軸挿通穴４と、上記第１のヒンジ軸挿通穴４に対応する上記蓋体２の後端部の部分に穿設された第２のヒンジ軸挿通穴５ａと、上記第１および第２のヒンジ軸挿通穴４，５ａに挿通され上記容器本体１の後端部に蓋体２の後端部を回動自在に連結するヒンジ軸６とを備え、上記ヒンジ軸６が、所定の加温温度領域では直線形状であり、上記温度領域を下回る温度領域では、全体形状が波形状になる形状記憶合金で構成され、上記ヒンジ軸６の波形状の山部の頂上部分および谷部の谷底部分間の距離が上記両ヒンジ軸挿通穴４，５ａの内径と略同じに形成され、コンパクト容器の解体時に、加温により上記ヒンジ軸６を直線形状にして両ヒンジ軸挿通穴４，５ａから抜き取り可能に構成されていることを特徴とするコンパクト容器。
【請求項２】
蓋体２の下面に凹部１５が形成され、この凹部１５内に、環状の鏡枠１６を介して鏡７が保持されるようになっている請求項１記載のコンパクト容器であって、上記蓋体２の凹部１５の内周面に、周方向に所定間隔で、複数の係合用突起１７が設けられ、上記鏡枠１６が、外周面に、上記係合用突起１７と係合しうる複数の被係合片１８を有し、周壁下部に、内向きに張り出したフランジ部１９を有し、上記鏡枠１６のフランジ部１９上面と蓋体２の凹部１５底面との間に鏡７を挟んだ状態で、上記係合用突起１７と被係合片１８との係合により、蓋体２の凹部１５内に着脱自在に鏡枠１６および鏡７が取り付けられていることを特徴とするコンパクト容器。
【発明の詳細な説明】
【０００１】
【発明の属する技術分野】
本発明は、容器本体と蓋体とをヒンジ連結する金属製ピンを簡単に取り外すことのできるコンパクト容器に関するものである。
【０００２】
【従来の技術】
ファンデーション等の化粧料を収容して携帯するコンパクト容器としては、従来から、図７に示すようなタイプのものが汎用されている。このコンパクト容器は、上面に化粧皿収容凹部１ａが形成された合成樹脂製の容器本体１と、この容器本体１の上面を蓋する合成樹脂製の蓋体２で構成されており、上記容器本体１の後端部中央に形成された後側切欠き凹部３の左右両側部３ａ，３ｂにヒンジ軸挿通穴４が貫通状に穿設されているとともに、上記蓋体２の後端部中央から垂下するヒンジ連結部５にヒンジ軸挿通穴５ａ（図７の縦断面図である図８参照）が貫通状に穿設されている。そして、両ヒンジ軸挿通穴４，５ａに金属製ピンからなるヒンジ軸６が挿通されており、これにより、容器本体１に蓋体２がヒンジ連結されている。図７において、７は蓋体２の下面に貼着されたガラス製の鏡であり、８は合成樹脂製の開蓋用押しボタンである。
【０００３】
このようなコンパクト容器では、通常、金属製ピン６は容器本体１に穿設されたヒンジ軸挿通穴４（もしくは蓋体２に穿設されたヒンジ軸挿通穴５ａ）に無理嵌めされており、そのヒンジ軸挿通穴４（５ａ）から簡単に抜き取ることができないようになっている。また、鏡７は蓋体２の下面に接着剤等で固定されており、これも蓋体２から簡単に取り外すことができないようになっている。これは、コンパクト容器を携帯する際に、振動や落下等の外力が加わっても、蓋体２から鏡７が外れたり、容器本体１から蓋体２が外れたりしないよう考慮したものである。
【０００４】
【発明が解決しようとする課題】
近年、年々増加する廃棄物の処理が社会問題化しており、ごみ排出量の抑制と資源リサイクル促進の必要性が高まっている。このため、ごみの種類によって、分別収集を義務づける自治体も増えている。また、製造業者にも、容器や包装物等のリサイクルが義務づけられる傾向になってきている。しかしながら、上記のような、従来のコンパクト容器では、容器本体１，蓋体２から金属製ピン６や鏡７を簡単に取り外すことができないため、使用しなくなったコンパクト容器を廃棄する際に、合成樹脂廃棄物である容器本体１，蓋体２と、金属廃棄物である金属製ピン６と、ガラス廃棄物である鏡７とに分離して廃棄することが行われておらず、ごみの分別収集に対応することができていないのが実情である。そこで、上記ごみの分別収集に対応することができるよう、鏡７については、これを蓋体２に対し着脱式にする等の提案がなされているが、金属製ピン６については、これを簡単に取り外すための提案がなされておらず、この金属製ピン６を簡単に取り外すことのできるコンパクト容器が強く要望されている。
【０００５】
本発明は、このような事情に鑑みなされたもので、コンパクト容器のヒンジ連結部に用いられている金属製ピンを容易に取り外すことができ、金属廃棄物と合成樹脂廃棄物とに分けて廃棄することのできるコンパクト容器の提供をその目的とする。
【０００６】
【課題を解決するための手段】
上記の目的を達成するため、本発明のコンパクト容器は、容器本体と、この容器本体の上面を蓋する蓋体と、上記容器本体の後端部に穿設された第１のヒンジ軸挿通穴と、上記第１のヒンジ軸挿通穴に対応する上記蓋体の後端部の部分に穿設された第２のヒンジ軸挿通穴と、上記第１および第２のヒンジ軸挿通穴に挿通され上記容器本体の後端部に蓋体の後端部を回動自在に連結するヒンジ軸とを備え、上記ヒンジ軸が、所定の加温温度領域では直線形状であり、上記温度領域を下回る温度領域では、全体形状が波形状になる形状記憶合金で構成され、上記ヒンジ軸の波形状の山部の頂上部分および谷部の谷底部分間の距離が上記両ヒンジ軸挿通穴の内径と略同じに形成され、コンパクト容器の解体時に、加温により上記ヒンジ軸を直線形状にして両ヒンジ軸挿通穴から抜き取り可能に構成されているという構成をとる。
【０００７】
また、本発明の請求項２にかかるコンパクト容器は、上記コンパクト容器と同様の構成を有し、さらに蓋体の下面に凹部が形成され、この凹部内に、環状の鏡枠を介して鏡が保持されるようになっており、上記蓋体の凹部の内周面に、周方向に所定間隔で、複数の係合用突起が設けられ、上記鏡枠が、外周面に、上記係合用突起と係合しうる複数の被係合片を有し、周壁下部に、内向きに張り出したフランジ部を有し、上記鏡枠のフランジ部上面と蓋体の凹部底面との間に鏡を挟んだ状態で、上記係合用突起と被係合片との係合により、蓋体の凹部内に着脱自在に鏡枠および鏡が取り付けられているという構成をとる。
【０００８】
すなわち、本発明のコンパクト容器は、容器本体の後端部の第１のヒンジ軸挿通穴および蓋体の後端部の第２のヒンジ軸挿通穴に挿通して容器本体に蓋体を回動自在に連結するヒンジ軸を、所定の加温温度領域では直線形状であり、上記温度領域を下回る温度領域では、全体形状が波形状になる形状記憶合金で構成している。このものでは、ヒンジ軸の形状が、所定の加温温度領域（例えば６０℃程度）では直線形状であるものの、この温度領域を下回る温度領域（例えば室温等、人間が通常の生活を送ることのできる温度領域）になると、全体形状が波形状になる。したがって、容器本体に蓋体を組付ける場合には、例えば室温で波形状であるヒンジ軸を容器本体，蓋体のヒンジ軸挿通穴に挿通し、ヒンジ軸として作用させる。また、容器本体，蓋体からヒンジ軸を取り外す時には、容器本体，蓋体の後端部を例えば６０℃程度の湯に漬ける等所定の加温温度領域にし、ヒンジ軸を直線形状にする。これにより、ヒンジ軸と両ヒンジ軸挿通穴との間に隙間ができ、上記第１および第２のヒンジ軸挿通穴から抜き取りやすくする。このように、容器本体および蓋体の後端部を湯に漬ける等するだけで、容器本体の後端部の第１のヒンジ軸挿通穴および蓋体の後端部の第２のヒンジ軸挿通穴からヒンジ軸を簡単に抜き取ることができる。したがって、このコンパクト容器を廃棄する場合には、合成樹脂製の容器本体，蓋体と金属製のヒンジ軸に簡単に分けることができ、ごみの分別収集に対応することができるという利点を有する。しかも、容器本体，蓋体からヒンジ軸を抜き取る場合には、ヒンジ軸を所定の高温にするだけでよく、簡単に行える。本発明において、所定の加温温度領域とは、室温等、人間が通常の生活を送ることのできる温度領域（地域等により異なる）から高温側に外れていることが望ましい。そして、上記所定の温度領域を下回る領域とは、室温等、人間が通常の生活を送ることのできる温度領域を含むものである。
【０００９】
また、本発明の請求項２にかかるコンパクト容器によれば、上記コンパクト容器と同様の効果を奏するだけでなく、蓋体側に取り付けられている鏡も、蓋体から容易に外すことができるため、ごみの分別収集に供することができるという利点を有する。そして、上記鏡は、他のガラス廃棄物とともに慎重に回収されるため、破損等の危険を招くことがない。しかも、容易に外すことができるにもかかわらず、コンパクト容器携帯時に鏡が脱落することがない。
【００１０】
【発明の実施の形態】
つぎに、本発明の実施の形態を図面にもとづいて詳しく説明する。
【００１１】
図１は本発明のコンパクト容器の一実施の形態を示している。図において、１は合成樹脂製の容器本体であり、２は合成樹脂製の蓋体であり、これら容器本体１および蓋体２は、従来例と同様の構造をしている。すなわち、上記容器本体１には、その上面に化粧皿収容凹部１ａが形成されており、この化粧皿収容凹部１ａに、化粧料が収容された金属製の化粧皿（図示せず）が、その底面に設けた接着剤層を介して収容，固定されている。また、上記容器本体１の前端面の中央部が切欠き形成されており、この前側切欠き凹部１０の奥面に係合用突部１１が突設されているとともに、上記前側切欠き凹部１０の左右両側面に、相対峙するようにして突部（図示せず）が突設されており、これら両突部に合成樹脂製の開蓋用押しボタン８が回動自在に支受されている。また、上記容器本体１の後端面の中央部が切欠き形成されており、この後側切欠き凹部３の左右両側部３ａ，３ｂに、両側部３ａ，３ｂを貫通するようにして一直線状に延びる断面形状円形のヒンジ軸挿通穴４が穿設されている。一方、上記蓋体２には、その前端部の中央部下面から、閉蓋時に上記容器本体１の前側切欠き凹部１０の係合用突部１１に係合しうる係合用突出片１３が垂下している。また、上記蓋体２の後端部から、容器本体１の後側切欠き凹部３に収容しうるヒンジ連結部５が垂下しており、上記後側切欠き凹部３の左右両側部３ａ，３ｂのヒンジ軸挿通穴４に対応する上記ヒンジ連結部５の部分に断面形状円形のヒンジ軸挿通穴５ａ（このヒンジ軸挿通穴５ａの直径は上記容器本体１に穿設されたヒンジ軸挿通穴４の直径よりもやや大きい寸法に設定されている）が一直線状に穿設されている。また、上記蓋体２の下面に鏡７が取り外し手段（図示せず）により着脱自在に取り付けられている。図において、１２は容器本体１の化粧皿収容凹部１ａの底部に穿設された小穴であり、化粧皿を化粧皿収容凹部１ａから取外す際に利用される。
【００１２】
上記ヒンジ軸挿通穴４，５ａにはＮｉＴｉ合金（形状記憶合金）製のヒンジ軸６が挿通されている。このヒンジ軸６は、高温（８０〜１００℃程度）で直線形状に成形されたものを、室温（５〜４０℃程度）で波形状（この波形状の山部の頂上部分および谷部の谷底部分間の距離が上記容器本体１に穿設されたヒンジ軸挿通穴４の内径と略同じに形成されている）に変形させたものであり、常温では、上記ヒンジ軸挿通穴４，５ａに挿通されてヒンジ軸６として作用し、高温になると、瞬間的に直線形状に戻って上記ヒンジ軸挿通穴４，５ａから簡単に取り出せるようにしている。
【００１３】
この構成において、容器本体１に蓋体２を組み付ける場合には、まず、図２に示すように、容器本体１の後側切欠き凹部３に蓋体２のヒンジ連結部５を挿入して後側切欠き凹部３の左右両側部３ａ，３ｂのヒンジ軸挿通穴４にヒンジ連結部５のヒンジ軸挿通穴５ａを位置決めし、その状態で、波形状に変形させたヒンジ軸６をヒンジ軸挿通穴４，５ａに押し入れて、無理嵌め状に挿通することが行われる（図３参照）。これにより、ヒンジ軸６の波形状の山部の頂上部分外周および谷部の谷底部分外周が容器本体１に穿設されたヒンジ軸挿通穴４の内周部に圧接し、容器本体１と蓋体２とを回動自在に連結する。また、容器本体１，蓋体２からヒンジ軸６を取り外す場合には、容器本体１，蓋体２の後部を８０〜１００℃程度の湯に漬けることが行われる。これにより、図４に示すように、ヒンジ軸６が直線形状に戻り、ヒンジ軸６とヒンジ軸挿通穴４，５ａの内周面との間に隙間ができ、簡単にヒンジ軸６を抜き取ることができるようになる。一方、化粧皿を化粧皿収容凹部１ａから取り外す場合には、この化粧皿収容凹部１ａの底部の穴１２から細棒を挿入して化粧皿を押し上げることが行われる。これにより、化粧皿の底面の接着剤層が化粧皿収容凹部１ａから離れ、上方に取り出すことができるようになる。また、鏡７は取り外し手段により取り外すことができる。
【００１４】
上記のように、この実施の形態では、容器本体１，蓋体２からヒンジ軸６，鏡７および化粧皿を簡単に取り外すことができるため、コンパクト容器を廃棄する場合に、合成樹脂製の容器本体１，蓋体２と、金属製のヒンジ軸６，化粧皿と、ガラス製の鏡７とに簡単に分けることができ、ごみの分別収集に対応することができる。しかも、容器本体１，蓋体２からヒンジ軸６を抜き取る場合には、容器本体１，蓋体２の後部を８０〜１００℃程度の湯に漬けるだけでよく、簡単に行える。
【００１５】
なお、上記実施の形態では、形状記憶合金として、ＮｉＴｉ合金を用いたが、これに限定するものではなく、ＮｉＡｌ合金，ＣｕＺｎＡｌ合金，ＣｕＡｌＮｉ合金等を用いてもよい。
【００１６】
また、本発明のコンパクト容器は、図１のタイプのものに限らず、容器本体１と蓋体２とがヒンジ連結により開閉するものであれば、どのような構成のものであっても差し支えはない。例えば、ごみの分別収集に供することを考慮すれば、鏡７を有しないコンパクト容器とすることも一つの案である。ただし、使い勝手の点からすれば鏡７を有する方が好ましいため、その場合は、すでに述べたように、鏡７を蓋体２に対し着脱自在に取り付けるようにする。
【００１７】
鏡７を蓋体２に対して着脱自在に取り付ける方法としては、各種の方法があるが、簡単な方法としては、特定の粘着性を有する粘着剤を用いて鏡７を蓋体２に粘着させ、一定の強度以上で鏡７を容易に剥がし取ることができるようにしておくことである。
【００１８】
また、例えば図５に示すように、特殊な環状の鏡枠１６を用いることにより、鏡７を蓋体２の凹部１５内に着脱自在に取り付けるようにしてもよい。この構成をより詳しく説明すると、上記蓋体２の下面には、平面視長方形状の凹部１５が形成されており、この凹部１５内に平面視長方形状の環状に形成された鏡枠１６が嵌入されるようになっている。そして、上記蓋体２の凹部１５の内周面の各面に、一面に２個ずつ、周方向に一定の長さだけ延びる係合用突起１７が設けられており、上記鏡枠１６の外周面の各面にそれぞれ、上記係合用突起１７と対峙する配置で、上記係合用突起１７と係合しうる被係合片１８が設けられている。また、上記鏡枠１６の周壁下部には、内側に内側に張り出すフランジ部１９が設けられており、その左右の縁部に、鏡枠１６取り出し時に爪をかけることができるよう、円弧状の切欠部２０が設けられている。
【００１９】
そして、鏡７は、上記鏡枠１６を介して、つぎのようにして蓋体２の凹部１５内に取り付けられる。すなわち、まず鏡７を鏡枠１６の内側に保持させる。このとき、鏡７の下縁部は、鏡枠１６のフランジ部１９の上面に支受される。この状態で、鏡枠１６を、矢印のように、蓋体２の凹部１５内に嵌入し、被係合片１８が、凹部１５の係合用突起１７を乗り越えて係合するようにする。このようにして、鏡７を鏡枠１６のフランジ部１９上面と蓋体２の凹部１５底面との間で挟持することができる（図６参照）。この構成によれば、鏡枠１６を外せば、鏡７を蓋体２から簡単に外すことができる。しかも、容易に外すことができるにもかかわらず、鏡７が鏡枠１６を介して蓋体２の凹部１５内に保持された状態では、鏡枠１６のみを引き出す強い力がかからない限り、鏡枠１６は外れないため、コンパクト容器携帯時に鏡７が脱落するようなことがない。
【００２０】
【発明の効果】
以上のように、本発明のコンパクト容器によれば、容器本体および蓋体の後部を湯に漬ける等するだけで、容器本体の後端部に穿設された第１のヒンジ軸挿通穴および蓋体の後端部に穿設された第２のヒンジ軸挿通穴からヒンジ軸を簡単に抜き取ることがでる。したがって、このコンパクト容器を廃棄する場合には、合成樹脂製の容器本体，蓋体と金属製のヒンジ軸に簡単に分けることができ、ごみの分別収集に対応することができるという利点を有する。しかも、容易に外すことができるにもかかわらず、鏡枠が周方向に回動しない限り外れないため、コンパクト容器携帯時に衝撃を受けても鏡が脱落するようなことはない。しかも、容器本体，蓋体からヒンジ軸を抜き取る場合には、ヒンジ軸を所定の高温にするだけでよく、簡単に行える。
【００２１】
また、本発明の請求項２にかかるコンパクト容器によれば、上記コンパクト容器と同様の効果を奏するだけでなく、蓋体側に取り付けられている鏡も、蓋体から容易に外すことができるため、ごみの分別収集に供することができるという利点を有する。そして、上記鏡は、他のガラス廃棄物とともに慎重に回収されるため、破損等の危険を招くことがない。しかも、容易に外すことができるにもかかわらず、コンパクト容器携帯時に鏡が脱落することがない。
【図面の簡単な説明】
【図１】本発明のコンパクト容器の一実施の形態を示す分解斜視図である。
【図２】上記コンパクト容器の作用を示す拡大断面図である。
【図３】上記コンパクト容器の作用を示す拡大断面図である。
【図４】上記コンパクト容器の作用を示す拡大断面図である。
【図５】本発明の他の実施の形態を示す部分的な分解斜視図である。
【図６】上記他の実施の形態の部分的な縦断面図である。
【図７】従来例を示す斜視図である。
【図８】上記従来例の要部の断面図である。
【符号の説明】
１  容器本体
２  蓋体
４，５ａ  ヒンジ軸挿通穴
６  ヒンジ軸
【図１】
0003838702.tif 000002
【図２】
0003838702.tif 000003
【図３】
0003838702.tif 000004
【図４】
0003838702.tif 000005
【図５】
0003838702.tif 000006
【図６】
0003838702.tif 000007
【図７】
0003838702.tif 000008
【図８】
0003838702.tif 000009